(57)【要約】【課題】  既設の配電設備により、容易に配電線路の三相接続順を判定する方法を提供する。【解決手段】  配電自動化システムの親局装置は、オペレータの指令で、配電系統に設置される自動電圧調整器（ＳＶＲ、ＴＶＲ、ＳＶＣ等）の１つにおいて、配電線の三相の内の一相で意図的に電圧変動（例えば、自動電圧調整器がＳＶＲやＴＶＲの場合には１タップ分）を短時間（数秒以内）発生させる。電圧変動させた自動電圧調整器の設置点以降の自動開閉器に接続する子局装置（地絡、短絡、断線、電圧、電流を計測する）は、電圧が変動した相を検出（もしくは三相全ての電圧計測）し、親局装置に通知する。親局装置は、子局装置から取得した検出結果（もしくは三相全ての電圧計測値）に基づいて、各子局装置で区切られた配電線の区間内における三相の接続順を判定する。【選択図】        図１
2020046389.tif 000002
【特許請求の範囲】
【請求項１】
三相配電系統に設置された自動開閉器や自動電圧調整器などを監視制御する配電自動化システムの親局装置からの任意の指令によって、配電系統上に配置されている自動電圧調整器によって配電線の電圧を一相毎に意図的に変動させることで自動電圧調整器を信号源として機能させ、当該自動電圧調整器の設置点以降にある自動開閉器の監視・制御を行う配電自動化システムの子局装置で測定した各相の電圧変動データを親局装置に送信し、順次各相で同様の操作を行うことで親局装置にて配電線に設置された各子局装置間の三相接続順を判定する方法。
【請求項２】
前記自動電圧調整器を配電線の各相に異なる電圧の変動パターンを発生させる信号源として機能させ、当該自動電圧調整器の設置点以降にある自動開閉器と当該自動電圧調整器の監視・制御を行う配電自動化システムの子局装置で測定した各相の電圧変動データを親局装置に送信し、順次各相で同様の操作を行うことで親局装置にて自動電圧調整器で発生させた電圧の変動パターンと各子局装置間の各相における電圧変動データを照合することを特徴とする請求項１記載の三相接続順を判定する方法。
【発明の詳細な説明】
【技術分野】
【０００１】
本発明は、三相高圧配電系統を管轄する電力会社の営業所等に設置された親局装置と高圧配電線の複数箇所に設置された子局装置により、各子局装置間の配電線路の三相接続順を判定する方法に関する。
【背景技術】
【０００２】
高圧配電線の系統連系工事や電圧不平衡の改善をする際は、連系地点や電圧不平衡箇所の相を識別するために現場で各相の接続状態を目視にて確認していた。
【０００３】
電柱に電線を架線した「架空配電線」においても目視により各相の接続状態を確認しているが、電線と樹木や建物との離隔距離、懸架の制約により電線を縦型配列したり、架空配電線の各相のインダクタンスや静電容量の不平衡を解消するために相を入れ替えて配列（以下、捻架）したりしている場所があるため、目視で相の順番を確認するのは容易でなく手間と時間が多大に必要となる。また、ケーブルを地中に埋設した「地中配電線」では電線を直接目視によって確認できない。
【０００４】
他方、このような問題を解決できる手段として、下記特許文献１のように、配電系統の一端に設けた送信機から配電線路の相間に信号（相間毎に１周期の発生回数が異なる断続信号）を注入して送信し、配電線の他端に設けた受信機による受信信号から送信側及び受信側の各相の対応関係を検出して相判定を行う相判別装置が提案されている。この判別装置は送信機と受信機間の相別を判定するので、目視による確認が不要になり配電線の相接続順の判定が容易にできるようになる。
【先行技術文献】
【特許文献】
【０００５】
【特許文献１】特開２００３−１８５６９３号
【発明の概要】
【発明が解決しようとする課題】
【０００６】
然るに、上記特許文献１記載の解決手段において、配電線の相接続順の判定を行うには、送信機と受信機からなる専用の相判別装置と、この装置を配電系統に設置するための作業が必要となる問題点がある。
【０００７】
本発明は、前述の問題点を解決できるものであり、相接続順を判定するための専用措置を必要とすることなく、既存の配電用設備を使用することで簡単に相接続順の判定を行うことのできる方法を提供するものである。
【課題を解決するための手段】
【０００８】
請求項１記載の発明は、三相配電系統に設置された自動開閉器や自動電圧調整器などを監視制御する配電自動化システムの親局装置からの任意の指令によって、配電系統上に配置されている自動電圧調整器によって配電線の電圧を一相毎に意図的に変動させることで自動電圧調整器を信号源として機能させ、当該自動電圧調整器の設置点以降にある自動開閉器の監視・制御を行う配電自動化システムの子局装置で測定した各相の電圧変動データを親局装置に送信し、順次各相で同様の操作を行うことで親局装置にて各子局装置間の配電線の三相接続順を判定することに特徴を有する。
【０００９】
請求項２記載の発明は、請求項１の配電線の電圧を一相毎に意図的に変動させる方法として、自動電圧調整器で配電線の各相に異なる電圧の変動パターンを発生させ、当該自動電圧調整器の設置点以降にある自動開閉器と当該自動電圧調整器の監視・制御を行う配電自動化システムの子局装置で測定した各相の電圧変動データを親局装置に送信し、順次各相で同様の操作を行うことで親局装置にて自動電圧調整器で発生させた電圧の変動パターンと各子局装置間の各相における電圧変動データを照合して、配電線の三相接続順を判定することに特徴を有する。
【発明の効果】
【００１０】
請求項１記載の発明によれば、自動電圧調整器を一相毎に電圧を変化させる信号源にすることで、親局装置が当該自動電圧調整器以降にある子局装置で測定した電圧変動データを受け取り、各子局間の接続順を判定できるので、既存の配電用設備のみで簡単に配電線の三相接続順を判定することができる。
【００１１】
請求項２記載の発明によれば、自動電圧調整器を配電線の一相毎に異なる電圧の変動パターンを発生させる信号源とすることで、親局装置が当該自動電圧調整器以降にある子局装置で測定した電圧変動データを受け取り、各子局装置の各相における前記電圧変動データを前記自動電圧調整器で発生させた電圧の変動パターンと照合して三相接続順を判定できるので、既存の配電用設備のみで正確に配電線の三相接続順を判定することができる。
【図面の簡単な説明】
【００１２】
【図１】本発明の実施例に係る三相の配電系統を示すシステム構成図である。
【図２】本発明の実施例１に係る三相の接続順を確認する処理を示すフローチャートである。
【図３】本発明の実施例２に係る三相の接続順を確認する処理を示すフローチャートである。
【発明を実施するための形態】
【００１３】
本発明の実施例１について図１及び図２を用いて説明する。図１は本発明の実施形態に係る配電系統の要部構成を示すシステム図である。図１において、Ａは電力会社の営業所Ｂの管轄エリア内にある配電用変電所であり、配電用変電所Ａ内には負荷時タップ切換変圧器１、高圧分岐遮断器（フィーダ遮断器）２、光通信装置３が設置されている。
【００１４】
そして、営業所Ｂの管轄エリア内の配電線４に設置された自動開閉器５ａ〜５ｅ及び自動電圧調整器６には、それぞれの動作や接続された配電線４の各相の電圧・位相差・地絡などを監視する配電自動化システムの子局装置７ａ〜７ｆが接続される。営業所Ｂ内に設置された配電自動化システムの親局装置８は、光通信装置３及び高速光ネットワーク９を通して子局装置７ａ〜７ｆと通信を行うことで、子局装置７ａ〜７ｆに接続された自動開閉器５ａ〜５ｅ及び自動電圧調整器６の監視制御を行う。
【００１５】
前記配電系統において、系統連系工事や電圧不平衡の改善をする際は、連系地点や電圧不平衡箇所の各相を識別する必要があるため親局装置８の操作端末において、図２に示す処理操作を行う。まずＳ１で三相接続順を調査する区間を指定する。なお、今回は図１に示す自動開閉器５ｂ以降の区間を調査区間として三相接続順を確認する場合について説明する。
【００１６】
Ｓ２では調査区間の直前にある自動電圧調整器６を選択し、Ｓ３で営業所のオペレータが、親局装置８の操作端末で相判定の実行操作を行う。すると、Ｓ４で親局装置８から高速光ネットワーク９を通じて、子局装置７ｂに自動電圧調整器６で配電線４のＵ相の電圧を変える指令（例えば、自動電圧調整器６がＳＶＲやＴＶＲの場合には、許容電圧内に収まる範囲での１タップ分の昇圧又は降圧指令）が送信され、自動電圧調整器６においては指令に従い配電線４のＵ相の電圧を変化させる。２〜３秒後には親局装置８からＵ相の電圧を戻す指令（例えば、自動電圧調整器６がＳＶＲやＴＶＲの場合には、変更前のタップに戻す指令）が送信され、自動電圧調整器６において指令に従って配電線４のＵ相の電圧が元に戻される。
【００１７】
子局装置７ａ〜７ｆは常時、自動開閉器５ａ〜５ｅ及び自動電圧調整器６に接続されている配電線４のＵ相、Ｖ相、Ｗ相の電圧、位相差、地絡などを測定し測定データを親局装置８に送信しているので、Ｓ５でＳ４の処理操作による自動開閉器５ｂ〜５ｅの配電線４各相の電圧変動データが、子局装置７ｃ〜７ｆから高速光ネットワーク９経由で送信され、親局装置８で受信される。
【００１８】
Ｓ６では親局装置８から自動電圧調整器６にＶ相の電圧を変える指令が送信され、自動電圧調整器６においては指令に従い配電線４のＶ相の電圧を変化させる。２〜３秒後には親局装置８からＶ相の電圧を戻す指令が送信され、自動電圧調整器６において配電線４のＶ相の電圧が元に戻される。
【００１９】
Ｓ７では、Ｓ６の処理操作による自動開閉器５ｂ〜５ｅの配電線４各相の電圧変動データが、子局装置７ｃ〜７ｆから高速光ネットワーク９経由で送信され、親局装置８で受信される。
【００２０】
Ｓ８では親局装置８から自動電圧調整器６にＷ相の電圧を変える指令が送信され、自動電圧調整器６においては指令に従い配電線４のＷ相の電圧を変化させる。２〜３秒後には親局装置８からＷ相の電圧を戻す指令が送信され、自動電圧調整器６において配電線４のＷ相の電圧が元に戻される。
【００２１】
Ｓ９では、Ｓ８の処理操作による自動開閉器５ｂ〜５ｅの配電線４各相の電圧変動データが、子局装置７ｃ〜７ｆから高速光ネットワーク９経由で送信され親局装置８で受信される。
【００２２】
Ｓ１０で親局装置８はＳ５、Ｓ７、Ｓ９において子局装置７ｃ〜７ｆから受信した配電線４各相の電圧変動データを基にして、各子局間の配電線路の三相接続順の解析を行う。
【００２３】
Ｓ１１で親局装置８は一連の「相判定」を終了し、Ｓ１２で解析結果を親局装置８の操作端末の画面上に表示する。
【００２４】
このように親局装置８からの指令により自動電圧調整器６において、順番に配電線４のＵ相、Ｖ相、Ｗ相の電圧を変える操作を行い、Ｓ１０でＵ相、Ｖ相、Ｗ相の電圧を変更した時に子局装置７ｃ〜７ｆから送信された電圧変動データを親局装置８にて解析することで、各自動開閉器の三相の接続順の判定をすることができる。
【００２５】
例えば、Ｕ相の電圧を変えた時に、自動開閉器５ｂ〜５ｃではＵ相の電圧が変化しているが、自動開閉器５ｄではＶ相の電圧が変化し、自動開閉器５ｅではＷ相の電圧が変化していた場合は、自動開閉器５ｃと自動開閉器５ｄ間ではＵ相がＶ相に捻架され、自動開閉器５ｄと自動開閉器５ｅ間ではＶ相がＷ相に捻架されていることが分かる。
【００２６】
また、Ｖ相の電圧を変えた時に、自動開閉器５ｂ〜５ｃではＶ相の電圧が変化し、自動開閉器５ｄと自動開閉器５ｅ間ではＵ相の電圧が変化していた場合は、自動開閉器５ｃと自動開閉器５ｄ間で捻架によりＵ相とＶ相の接続順番が入れ違っていることが分かる。
【００２７】
さらに、Ｗ相の電圧を変えた時に、自動開閉器５ｂ〜５ｄではＷ相の電圧が変化しているが、自動開閉器５ｅでＶ相の電圧が変化していた場合は、自動開閉器５ｄと自動開閉器５ｅ間で捻架によりＶ相とＷ相の接続順番が入れ違っていることが分かる。
【００２８】
続いて、本発明の実施例２について図１及び図３を用いて説明する。図１は本発明の実施形態に係る配電系統の要部構成を示すシステム図であり、各符号の内容は、実施例１と同じである。
【００２９】
前記配電系統において、系統連系工事や電圧不平衡の改善をする際は、連系地点や電圧不平衡箇所の各相を識別する必要があるため親局装置８の操作端末において、図３に示す処理操作を行う。まずＳ２１で三相接続順を調査する区間を指定する。なお、実施例２においても、図１に示す自動開閉器５ｂ以降の区間を調査区間として三相接続順を確認する場合について説明する。
【００３０】
Ｓ２２では調査区間の直前にある自動電圧調整器６を選択し、Ｓ２３で営業所のオペレータが、親局装置８の操作端末で相判定の実行操作を行う。すると、Ｓ２４で親局装置８から高速光ネットワーク９を通じて、子局装置７ｂに自動電圧調整器６で配電線４のＵ相の電圧を変える指令（例えば、自動電圧調整器６がＳＶＲやＴＶＲの場合には、許容電圧内に収まる範囲での１タップ分の昇圧又は降圧指令）が送信され、自動電圧調調整器６においては指令に従い配電線４のＵ相の電圧を変化させる。２秒後には親局装置８からＵ相の電圧を戻す指令（例えば、自動電圧調整器６がＳＶＲやＴＶＲの場合には、変更前のタップに戻す指令）が送信され、自動電圧調整器６において指令に従って配電線４のＵ相の電圧が元に戻される。さらに２秒後には再度配電線４のＵ相の電圧を変える指令が送信され、その２秒後には親局装置８からＵ相の電圧を戻す指令が送信され、自動電圧調整器６において指令に従って配電線４のＵ相の電圧が元に戻される。
【００３１】
子局装置７ａ〜７ｆは常時、自動開閉器５ａ〜５ｅ及び自動電圧調整器６に接続されている配電線４のＵ相、Ｖ相、Ｗ相の電圧、位相差、地絡などを測定し測定データを親局装置８に送信しているので、Ｓ２５でＳ２４の処理操作による自動開閉器５ｂ〜５ｅ及び自動電圧調整器６の配電線４各相の電圧変動データが、子局装置７ｂ〜７ｆから高速光ネットワーク９経由で送信され、親局装置８で受信される。
【００３２】
Ｓ２６では親局装置８から自動電圧調整器６にＶ相の電圧を変える指令が送信され、自動電圧調整器６においては指令に従い配電線４のＶ相の電圧を変化させる。３秒後には親局装置８からＶ相の電圧を戻す指令が送信され、自動電圧調整器６において配電線４のＶ相の電圧が元に戻される。さらに３秒後には再度配電線４のＶ相の電圧を変える指令が送信され、その３秒後には親局装置８からＶ相の電圧を戻す指令が送信され、自動電圧調整器６において指令に従って配電線４のＵ相の電圧が元に戻される。
【００３３】
Ｓ２７では、Ｓ２６の処理操作による自動開閉器５ｂ〜５ｅ及び自動電圧調整器６の配電線４各相の電圧変動データが、子局装置７ｂ〜７ｆから高速光ネットワーク９経由で送信され、親局装置８で受信される。
【００３４】
Ｓ２８では親局装置８から自動電圧調整器６にＷ相の電圧を変える指令が送信され、自動電圧調整器６においては指令に従い配電線４のＷ相の電圧を変化させる。４秒後には親局装置８からＷ相の電圧を戻す指令が送信され、自動電圧調整器６において配電線４のＷ相の電圧が元に戻される。さらに４秒後には再度配電線４のＷ相の電圧を変える指令が送信され、その４秒後には親局装置８からＷ相の電圧を戻す指令が送信され、自動電圧調整器６において指令に従って配電線４のＵ相の電圧が元に戻される。
【００３５】
Ｓ２９では、Ｓ２８の処理操作による自動開閉器５ｂ〜５ｅ及び自動電圧調整器６の配電線４各相の電圧変動データが、子局装置７ｂ〜７ｆから高速光ネットワーク９経由で送信され親局装置８で受信される。
【００３６】
Ｓ３０で親局装置８はＳ２５、Ｓ２７、Ｓ２９において子局装置７ｃ〜７ｆから受信した配電線４各相の電圧変動データをＳ２４、Ｓ２６、Ｓ２８で自動電圧調整器６にて発生させた電圧の変動パターン（子局装置７ｂで測定した電圧変動データ）と照合して、各子局間の配電線路の三相接続順の解析を行う。
【００３７】
Ｓ３１で親局装置８は一連の「相判定」を終了し、Ｓ３２で解析結果を親局装置８の操作端末の画面上に表示する。
【００３８】
このように親局装置８からの指令により自動電圧調整器６において、順番に配電線４のＵ相、Ｖ相、Ｗ相に異なる電圧の変動パターン（電圧を昇圧又は降圧させる時間と電圧を戻す時間の間隔をＵ相、Ｖ相、Ｗ相で変動させる）を発生させる操作を行う。この操作により、Ｓ３０で親局装置８が子局装置７ｃ〜７ｆから送信された各相の電圧変動データと自動電圧調整器６のＵ相、Ｖ相、Ｗ相で発生させた電圧の変動パターン（子局装置７ｂで測定したＵ相、Ｖ相、Ｗ相の電圧変動データ）を照合して、自動電圧調整器６のＵ相、Ｖ相、Ｗ相の電圧変動が各子局装置のどの相で測定されたかを正確に判別できるので、各子局装置間の三相接続順を正確に判定することができる。
【００３９】
親局装置８でのＳ３０における判定方法は、実施例１と同じで自動電圧調整器６のＵ相、Ｖ相、Ｗ相でそれぞれ異なる電圧の変動パターンを発生させ、自動開閉器５ｂ〜５ｃのどの相で自動電圧調整器６のＵ相、Ｖ相、Ｗ相のどの電圧の変動パターンが測定されたかを解析する（例えば、Ｖ相に３秒間隔で電圧が変動するように電圧変動の指令を実施した時に、自動開閉器５ｂ〜５ｃではＶ相で３秒間隔の電圧変動が測定され、自動開閉器５ｄと自動開閉器５ｅ間ではＵ相で３秒間隔の電圧変動が測定された場合は、自動開閉器５ｃと自動開閉器５ｄ間でＶ相からＵ相に捻架されている）ことで、確実に各子局装置間の配電線路の三相接続順の判定をする。
【００４０】
以上説明したように、本発明の三相接続順の判定方法によれば、従来のように、接続順を確認するために送信機と受信機からなる専用の相判別装置を必要とすることなく、既設の配電用設備を使用して簡単な方法によって配電線路の三相の接続順を判定することができる。
【００４１】
なお、上記実施例１及び実施例２において、子局装置は三相全ての電圧を計測して親局装置に通知しているが、電圧が変動した相のみの電圧を測定して親局装置に通知することで、三相の接続順を判定するように構成してもよい。
【産業上の利用可能性】
【００４２】
本発明は、高圧配電線の系統連系工事や電圧不平衡の改善をする際に、連系地点や電圧不平衡箇所の配電線の相の接続順を判定するのに利用される。
【符号の説明】
【００４３】
１  負荷時タップ切換変圧器
２  高圧分岐遮断器（フィーダ遮断器）
３  光通信装置
４  配電線
５ａ、５ｂ、５ｃ、５ｄ、５ｅ  自動開閉器
６  自動電圧調整器
７ａ、７ｂ、７ｃ、７ｄ、７ｅ、７ｆ  配電自動化システムの子局装置
８  配電自動化システムの親局装置
９  高速光ネットワーク
Ａ  配電用変電所
Ｂ  電力会社の営業所
【図１】
2020046389.tif 000003
【図２】
2020046389.tif 000004
【図３】
2020046389.tif 000005